(57)【要約】【課題】陸上飼育水槽の壁面への魚の衝突を防止する方法を提供すること。【解決手段】陸上に設けた円筒状の飼育水槽１内で飼育している魚が飼育水槽１の壁面に衝突するのを防止する方法であって、飼育水槽１の内壁側に給水管２を配置し、給水管２の吐出口４から内壁面の切線方向に飼育水を吐出して、飼育水槽１の内壁面付近に水流Ｆｓを形成することにより、魚が飼育水槽１の内壁面に接近するのを防ぐことを特徴とする魚の衝突防止方法。【選択図】図１
2017175992.tif 000002
【特許請求の範囲】
【請求項１】
陸上に設けた円筒状の飼育水槽内で飼育している魚が飼育水槽の壁面に衝突するのを防止する方法であって、
前記飼育水槽の内壁側に給水管を配置し、前記給水管の吐出口から前記内壁面の切線方向に飼育水を吐出して、飼育水槽の内壁面付近に水流を形成することにより、魚が飼育水槽の内壁面に接近するのを防ぐことを特徴とする魚の衝突防止方法。
【請求項２】
前記給水管は前記飼育水槽の内壁側に、縦方向に配設されており、給水管の長さ方向に複数個の吐出口を有することを特徴とする請求項１に記載の魚の衝突防止方法。
【請求項３】
前記給水管は根元が角度調整可能な継手によって飼育水を供給する配管と接続されていることを特徴とする請求項１又は２に記載の魚の衝突防止方法。
【請求項４】
陸上に設けたコンクリート製の円筒状の飼育水槽内で飼育している魚が飼育水槽の壁面に衝突するのを防止する方法であって、
前記飼育水槽のコンクリート内壁内に給水管を配置し、前記給水管の吐出口から前記内壁面の切線方向に飼育水を吐出して、飼育水槽の内壁面付近に水流を形成することにより、魚が飼育水槽の内壁面に接近するのを防ぐことを特徴とする魚の衝突防止方法。
【請求項５】
前記給水管は飼育水槽の高さ方向に２個以上設けられていることを特徴とする請求項４に記載の魚の衝突防止方法。
【請求項６】
前記給水管は根元に水量調節用のバルブが設けられていることを特徴とする請求項１〜５のいずれかに記載の魚の衝突防止方法。
【請求項７】
前記給水管には水量調節用のインバータポンプによって飼育水が供給されていることを特徴とする請求項１〜６のいずれかに記載の魚の衝突防止方法。
【請求項８】
水流が形成される場所は前記内壁面から飼育水槽の中心部に向って、大きな魚の魚体長（Ｌｍａｘ）の２倍（２Ｌｍａｘ）以上とすることを特徴とする請求項１〜７のいずれかに記載の魚の衝突防止方法。
【請求項９】
前記水流の流速は、小さい魚の遊泳速度をＶＬｍｉｎとしたとき、ＶＬｍｉｎ以上１０ＶＬｍｉｎ以下とすることを特徴とする請求項１〜８のいずれかに記載の魚の衝突防止方法。
【発明の詳細な説明】
【技術分野】
【０００１】
本発明は陸上飼育水槽の壁面への魚の衝突防止方法に関する。
【背景技術】
【０００２】
陸上飼育による水産魚の育成においては、飼育水槽の壁面に魚が衝突して斃死するケースが多い。特に泳ぎのコントロールが出来ない稚魚などは衝突による骨折等により斃死するケースが多い。これは、音や光などの外部刺激が原因で魚が驚愕行動や異常行動を起こすためであると考えられる。特にクロマグロなどの回遊魚は外部刺激等に敏感である。このため、陸上の飼育施設で魚に不要なストレスを与えることなく飼育するための種々の工夫がなされている。
【０００３】
例えば、特許文献１には、マグロの飼育水槽において起こる共食い、驚愕行動、衝突死等の異常行動の原因の一つが視覚刺激にあることに着目し、（ａ）光の一部が透過し、かつ、斜め方向にも光の一部が反射する視覚刺激緩衝材を水槽壁面および底面に設置した水槽を使用すること、（ｂ）水槽の飼育水中に有色微粒子を入れること、および（ｃ）水槽壁面、底面、イケス網面または障害物表面に光反射板を配することのうちの少なくとも１つの手段を用いて視覚刺激を制御して、マグロを飼育、保管または輸送することによってマグロの驚愕行動または衝突死を防止することが記載されている。
【０００４】
また、特許文献２には、マグロの驚愕行動、衝突死の原因の一つが明暗周期、照度にあることに着目し、照度を１５０ルクス以上に保った環境下でマグロを飼育、保管または輸送することによってマグロの驚愕行動または衝突死を防止することが記載されている。
【先行技術文献】
【特許文献】
【０００５】
【特許文献１】特許第４０３６３８１号公報
【特許文献２】特許第４０８１０９２号公報
【発明の概要】
【発明が解決しようとする課題】
【０００６】
前記した従来の方法では効果が一定期間しか持続せず、また飼育施設に視覚刺激緩和をする為に、透明水槽、緩衝材、照度調整のための設備等が必要となり、コストアップにつながってしまうという問題がある。
本発明は、飼育水槽の壁面への魚の衝突を低コストで防止する方法を提供することを目的とする。
【課題を解決するための手段】
【０００７】
本発明者らは飼育槽に流入又は循環する飼育水を利用して壁付近に強い流れを起こすことにより、魚の衝突が防止できることを見出して本発明を完成した。
すなわち、本発明は以下に記載する通りの陸上に設けた飼育水槽における魚の衝突防止方法に係るものである。
【０００８】
（１）陸上に設けた円筒状の飼育水槽内で飼育している魚が飼育水槽の壁面に衝突するのを防止する方法であって、
前記飼育水槽の内壁側に給水管を配置し、前記給水管の吐出口から前記内壁面の切線方向に飼育水を吐出して、飼育水槽の内壁面付近に水流を形成することにより、魚が飼育水槽の内壁面に接近するのを防ぐことを特徴とする魚の衝突防止方法。
（２）前記給水管は前記飼育水槽の内壁側に、縦方向に配設されており、給水管の長さ方向に複数個の吐出口を有することを特徴とする上記（１）に記載の魚の衝突防止方法。
（３）前記給水管は根元が角度調整可能な継手によって飼育水を供給する配管と接続されていることを特徴とする上記（１）又は（２）に記載の魚の衝突防止方法。
（４）陸上に設けたコンクリート製の円筒状の飼育水槽内で飼育している魚が飼育水槽の壁面に衝突するのを防止する方法であって、
前記飼育水槽のコンクリート内壁内に給水管を配置し、前記給水管の吐出口から前記内壁面の切線方向に飼育水を吐出して、飼育水槽の内壁面付近に水流を形成することにより、魚が飼育水槽の内壁面に接近するのを防ぐことを特徴とする魚の衝突防止方法。
（５）前記給水管は飼育水槽の高さ方向に２個以上設けられていることを特徴とする上記（４）に記載の魚の衝突防止方法。
（６）前記給水管は根元に水量調節用のバルブが設けられていることを特徴とする上記（１）〜（５）のいずれかに記載の魚の衝突防止方法。
（７）前記給水管には水量調節用のインバータポンプによって飼育水が供給されていることを特徴とする上記（１）〜（６）のいずれかに記載の魚の衝突防止方法。
（８）水流が形成される場所は前記内壁面から飼育水槽の中心部に向って、大きな魚の魚体長（Ｌｍａｘ）の２倍（２Ｌｍａｘ）以上とすることを特徴とする上記（１）〜（７）のいずれかに記載の魚の衝突防止方法。
（９）前記水流の流速は、小さい魚の遊泳速度をＶＬｍｉｎとしたとき、ＶＬｍｉｎ以上１０ＶＬｍｉｎ以下とすることを特徴とする上記（１）〜（８）のいずれかに記載の魚の衝突防止方法。
【発明の効果】
【０００９】
本発明により、飼育水槽壁面への魚の衝突を低コストで防止することができる。
【図面の簡単な説明】
【００１０】
【図１】本発明の実施形態に係る飼育装置の構成の概略を示す上面図である。
【図２】図１に記載の飼育装置の断面図である。
【図３】本発明の実施形態に係る飼育装置における水流の状態を示す図である。
【図４】飼育水槽内における魚の体長と生残率との関係を示す図である。
【図５】本発明の実施形態における給水管の構造例を示す図である。
【図６】本発明の実施形態に係る飼育装置の水槽の一例を示す概略図である。
【図７】図６に記載の飼育装置の断面図である。
【発明を実施するための形態】
【００１１】
魚には側線という水流や振動などを感じる感覚器官がある。群れで遊泳行動している魚がぶつからずに泳ぐことができるのはこのような感覚器官があるためであると言われている。
本発明においては、飼育水槽の内壁面と中央部とで流速に差を持たせることで、魚にその流れの変化を感知させ、魚が内壁面に接近しないようにして魚が壁面に衝突することを防止する。
以下に、本発明の実施形態に係るマグロの陸上飼育装置の例を、図面を用いて詳細に説明する。
【００１２】
（実施形態１）
図１は本発明の実施形態１に係る魚の陸上飼育装置の一例を上面から見た概略図であり、図２は同陸上飼育装置を側面から見た断面図である。
本発明の実施形態に係る陸上飼育装置は、円筒状の飼育水槽１と、飼育水槽１に飼育水を供給する給水管２と、飼育水槽１から飼育水を抜き出すための排水口３とを備えている。
【００１３】
飼育水槽１には給水管２により、新たに取水した流入水及び浄化した循環水が給水される。以下では前記流入水及び循環水を併せて飼育水という。
図１に示したものにおいては、給水管２が分岐して４本の給水管２ａ、２ｂ、２ｃ、２ｄを形成しており、それぞれが飼育水槽１内に配置されて飼育水を飼育水槽１内に注入する。
【００１４】
前記給水管２は、図２に示すように前記水槽１の壁面付近に、壁面に対して平行に上下方向に配置される。給水管２には飼育水を吐出するための吐出口４が複数個設けられている。給水管２における吐出口４の数、開口位置及び口径は水流解析等で適宜に設定することができる。吐出口４の数及び口径はその合計面積が配管断面と同等又はそれ以上であることが好ましい。
【００１５】
図５に給水管２の例を示す。
図５（ａ）に示したものは、給水管２の長さ方向に均等に吐出口４を設けた例であり、給水管２の長さＬ１の間に等距離で吐出口４が設けられている。
また、図５（ｂ）に示したものは、給水管２の強い水流を必要とする水槽の深さに対応する長さＬ２の間に吐出口４を多く設けたものである。
【００１６】
飼育水槽１内に水流を起こすにあたっては、飼育水を給水管２の吐出口４から飼育水槽の内壁面の切線方向、すなわち内壁面に沿って吐出させる。
これにより、飼育水槽１の壁面付近に強い流速（速い水流）Ｆｓを生じさせる。
飼育水を吐出する給水管２の根元はユニオンやフランジを設けることによって設置角度を自由に調整できることが好ましい。
【００１７】
水流Ｆｓが発生すると、これに伴って飼育水槽の中央部７にも弱い流速（遅い水流）Ｆｗが生じる（図３参照）。図１において水流ＦＳ、Ｆｗを示す矢印の大きさは水流の速度の大きさを示している。
魚が飼育水槽１の内側から内壁面側に近づこうとすると、内側の流速Ｆｗと内壁面側の流速Ｆｓとの差を魚が感知する。これにより、魚はそれ以上内壁面側に接近しないため、魚の衝突を防ぐことができる。
【００１８】
図３は魚体５の大きさと飼育水槽１の内壁面から飼育水槽１の中心部に向かって形成される強い水流の幅６との関係を示した図である。
図３に示すように、飼育水槽１で飼育している魚のうちの大きい魚体５の長さを「Ｌｍａｘ（ｃｍ）」とした時、強い水流の幅６は飼育水槽の内壁面から飼育水槽の中央に向かって、２Ｌｍａｘ（ｃｍ）以上とすることが好ましい。
【００１９】
図４は強い水流の幅（壁面からの距離）と生残率との関係を示した図である。
図４からわかるように、強い水流の幅６が２Ｌｍａｘであると、魚の種類にかかわらず生残率が良くなる。
【００２０】
また、飼育水槽１で飼育している魚のうちの小さい魚体の遊泳速度をＶＬｍｉｎ（ｃｍ／ｓｅｃ）としたとき、飼育水槽の内壁面付近における飼育水の流速はＶＬｍｉｎ（ｃｍ／ｓｅｃ）以上とすることが好ましい。
魚は一般的に遊泳速度が魚体長の２〜４倍であり、突進速度（ＶＢＳ）は魚体長の１０倍とも言われている。
その為、魚の大きさ等によって、飼育水の流速は変化できるようにしておくことが好ましい。
また流速の最大値は突進速度以下、すなわち、１０ＶＬｍｉｎ（ｃｍ／ｓｅｃ）以下とすることが好ましい。
【００２１】
水流の方向は水流解析結果等に応じて適宜設定することができる。
図１、２に示したものでは給水管を垂直方向に設置しているが、垂直方向に対して角度を付けて配置しても良い。適正な角度も水流解析を行って適宜設定することが好ましい。
水流ＦＳを起こすために給水管２は主給水管を分岐させて２本以上を水槽内に設ける。  図１に示したものでは給水管４本を内周面に沿って等間隔になるように配置している。  水流解析状況によって分岐数を決め、均等水流を起こすことが好ましい。
【００２２】
水流の速度は飼育水槽１内の魚の成長に合わせて変化させることができるようにすることが好ましい。
水流の速度を変化させるには、ポンプ流量を変化させたり、飼育水槽１内に飼育水を入れる配管の分岐する各給水管にバルブを設けることにより、各給水管の水量を調節できるようにすればよい。そのバルブは手動であっても、電動弁であっても良い。
流量計を設ける場合は、電動弁で自動化ができるようにすることが好ましい。
また、餌やりなど魚が興奮したり、水質が悪くなったりした時などに、必要に応じて、タイマーや操作盤などによって水流を強く調整することができるようにすることが好ましい。
【００２３】
（実施形態２）
図６は本発明の実施形態１に係る魚の陸上飼育装置の一例を上面から見た概略図であり、図７は同陸上飼育装置を側面から見た断面図である。
本実施形態においては飼育水槽１をコンクリート製としている。
飼育水槽１をコンクリート製とした本実施形態では、図６及び図７に示すようにコンクリート壁１０内に給水管２を埋め込む。給水管２の吐出口４がコンクリート壁の内壁面の切線方向に向くように給水管２を埋め込むことで、飼育水槽１内に旋回流を起こす。
この場合、給水管２は図６及び図７に示すよう円周方向の２箇所以上設け、かつ上下方向に２箇所以上設けられていることが好ましい。
また、この場合にも、槽外にバルブを設けたり、ポンプの流量を変化させたりすることで流量を調整することができるシステムにすることが好ましい。
【００２４】
本発明においては水流の発生に飼育水を利用するので、従来の設備において配管を延ばす程度の作業で済み、従来のシステム以外に設備を増やす必要がないため、コスト的に有利である。
また、飼育水槽の内壁面に沿って流れを起こすことにより、水槽底に溜まる残餌などを中央に寄せるという効果を向上させることができ、それらの回収が容易となるので、水質管理上有利である。
【符号の説明】
【００２５】
１  飼育水槽
２、２ａ、２ｂ、２ｃ、２ｄ  給水管
３  排水口
４  吐出口
５  魚体
６  水流の幅
７  飼育水槽の中央部
１０  コンクリート壁
Ｆｓ  強い流速（速い水流）
Ｆｗ  弱い流速（遅い水流）
Ｌｍａｘ  大きい魚の魚体長
Ｌｍｉｎ  小さい魚の魚体長
ＶＬｍｉｎ  小さい魚の遊泳速度
ＶＢＳ  魚の突進速度
ＷＢ  飼育水
【図１】
2017175992.tif 000003
【図２】
2017175992.tif 000004
【図３】
2017175992.tif 000005
【図４】
2017175992.tif 000006
【図５】
2017175992.tif 000007
【図６】
2017175992.tif 000008
【図７】
2017175992.tif 000009